(57)【要約】【課題】本発明は、電源装置を盤面側に具備することで、盤面を筐体に設置する際の作業を簡単化した光源露出型看板を提案することを目的とする。【解決手段】電源装置の一部となる直流電源３０が、表面より光源装置１１を露出させた盤面１の裏面側に、電源固定用架台３２を介して設置される。そして、この直流電源３を搭載した盤面１は、筐体２の開口面を覆うように設置固定される。このとき、盤面１に設けられた電源装置毎の盤面側端子と、商用電源と接続された筐体側端子とが電気的に接続された後に、盤面固定用ボルト１４が螺合されて、盤面１が筐体２に固定設置される。【選択図】図１
2010113046.tif 000002
【特許請求の範囲】
【請求項１】
表面より光源装置を露出させた盤面と、前記盤面で覆われる筐体と、を備え、前記光源装置からの照射光によって文字又は画像を表示する光源露出型看板において、
前記光源装置に電源供給する電源装置が、前記盤面側に設置されることを特徴とすることを特徴とする光源露出型看板。
【請求項２】
請求項１において、
前記盤面が、複数枚のセグメントパネルに分割されており、
複数枚の前記セグメントパネルのうち、少なくとも１以上には、前記電源装置が設置されることを特徴とする光源露出型看板。
【請求項３】
請求項１又は請求項２において、
前記盤面で、
複数の前記光源装置により直列回路が構成されるとともに、
前記電源装置が、複数の前記直列回路が並列に接続された並列回路に対して、外部からの交流電源より変換した直流電源を供給し、
前記筐体内部で、
前記盤面の前記電源装置からの端子と前記交流電源からの端子とが接続されることを特徴とする光源露出型看板。
【請求項４】
請求項１乃至請求項３のいずれか一項において、
前記光源装置は、発光素子と光学系によって構成されるとともに、前記発光素子からの直射光と、前記発光素子からの直射光の一部を前記光学系で前記盤面に向かって反射させる反射光と、を照射し、
前記盤面は、前記光源装置の周辺領域の表面で、前記光源装置からの反射光を反射させることを特徴とする光源露出型看板。
【発明の詳細な説明】
【技術分野】
【０００１】
本発明は、表面から露出させた光源を配置して文字や画像を表示する光源露出型看板に関するもので、特に、大型の盤面を構成する光源露出型看板に関する。
【背景技術】
【０００２】
従来、夜間でも内容を確認できる看板として、画像や文字などが印刷された透明フィルムの背後に光源を配置する内照式電飾看板が、商品又は企業の宣伝を目的として、一般に広く利用されている。このような内照式電飾看板以外に、画像や文字の形状に蛍光管やネオン管などの光源を配置し、この光源からの光によって文字や画像をかたどった光源露出型看板がある。このような光源露出型看板において、近年では、蛍光管やネオン管に比べて、画像や文字の形状にあわせた配置が容易となるだけでなく、消費電力が低く且つ寿命が長いことから、光源として発光ダイオード（ＬＥＤ）が用いられるようになっている。
【０００３】
ＬＥＤを光源ユニットとして備えた光源露出型看板は、ＬＥＤの指向性が高いため、看板の盤面上において、ＬＥＤが配置された部分の発光量に対して、ＬＥＤの配置されていない部分の発光量が急激に低下する。よって、発光表示させる画像や文字の構成領域に、多くのＬＥＤを敷き詰めて配置して、その明るさの均一化を図る必要があった。そのため、看板の盤面における発光させる領域に配置されるＬＥＤの個数が多くなり、光源露出型看板の消費電力化及び軽量化の妨げとなる。
【０００４】
このように盤面に配置するＬＥＤの個数を低減させるために、光源露出型看板に利用する光源装置として、複数のＬＥＤを組み合わせて照射領域を広げた光源装置が提案されている（特許文献１参照）。特許文献１の光源装置は、異なる方向に光軸を傾けた複数のＬＥＤを筐体に載置して構成することで、複数のＬＥＤそれぞれから異なる方向に光を照射する。よって、特許文献１の光源装置は、複数のＬＥＤからの照射光が合成されて照射されるため、その光の照射領域を広げることができ、看板の盤面における明るさの均一化を図れる。そのため、この特許文献１による光源装置を光源露出型看板に採用した場合、光源露出型看板に用いる光源装置の個数が低減できる。
【特許文献１】特開２００８−２２７０１１号公報
【発明の開示】
【発明が解決しようとする課題】
【０００５】
特許文献１に代表されるようなＬＥＤによる光源装置を利用する場合、交流となる商用電源を直流に変換して、光源装置への電源供給がなされる。このような交流電源を直流電源に変換して負荷に供給する電源装置は、従来の光源露出型看板においては、盤面によって覆われる筐体内部に設置されている。盤面上に露出させる光源装置の個数が多い場合、図７に示すように、直列に接続された複数の光源装置１００を更に並列に接続して、端子１０２，１０３によって、電源装置１０１に接続する必要がある。
【０００６】
そのため、盤面を筐体に設置する際、光源装置１００と電源装置１０１とを接続するための端子１０２，１０３の数が多く、その接続作業が煩雑となっていた。又、光源露出型看板の取り付け場所は高所であることが多いことから、大型の光源露出型看板を取り付ける場合は特に、盤面の吊り上げた状態で端子の接続作業を行う必要がある。よって、端子１０２，１０３の接続作業にかかる時間まで、盤面を吊り上げたままとしなければならないことから、光源露出型看板の施工作業を困難なものとなる。更に、光源装置１００や電源装置１０１の交換時においても、光源装置１００と電源装置１０１との間の端子１０２，１０３による接続を取り外す必要があり、その交換作業が煩雑なものとなる。
【０００７】
このような問題を鑑みて、本発明は、電源装置を盤面側に具備することで、盤面を筐体に設置する際の作業を簡単化した光源露出型看板を提案することを目的とする。
【課題を解決するための手段】
【０００８】
上記目的を達成するために、本発明の光源露出看板は、表面より光源装置を露出させた盤面と、前記盤面で覆われる筐体と、を備え、前記光源装置からの照射光によって文字又は画像を表示する光源露出型看板において、前記光源装置に電源供給する電源装置が、前記盤面側に設置されることを特徴とする。
【０００９】
このような構成の光源露出型看板において、前記盤面が、複数枚のセグメントパネルに分割されており、複数枚の前記セグメントパネルのうち、少なくとも１以上には、前記電源装置が設置されるものとしてもよい。即ち、前記盤面が、その表面より前記光源装置を露出させた複数枚の前記セグメントパネルを組み合わせて構成される。又、前記盤面が、一枚のパネルによって構成されるものとしてもよい。
【００１０】
又、上述の光源露出型看板において、前記光源装置がＬＥＤなどのように直流電源で駆動する場合、前記盤面で、複数の前記光源装置により直列回路が構成されるとともに、前記電源装置が、複数の前記直列回路が並列に接続された並列回路に対して、外部からの交流電源より変換した直流電源を供給し、前記筐体内部で、前記盤面の前記電源装置からの端子と前記交流電源からの端子とが接続されるものとしてもよい。これにより、前記筐体に前記盤面を設置する際に接続する端子数を、前記直列回路の回路数より少なくすることができる。
【００１１】
更に、前記光源装置は、発光素子と光学系によって構成されるとともに、前記発光素子からの直射光と、前記発光素子からの直射光の一部を前記光学系で前記盤面に向かって反射させる反射光と、を照射し、前記盤面は、前記光源装置の周辺領域の表面で、前記光源装置からの反射光を反射させるものとしてもよい。
【００１２】
一方、前記光源装置が蛍光管やネオン管のように交流電源で駆動する場合、電源装置がインバータなどで構成され、商用電源に対して周波数や電力を変換した交流電源を生成し、前記光源装置に電源供給を行うものとしてもよい。
【発明の効果】
【００１３】
本発明によると、電源装置を具備した盤面を筐体に取り付ける構成としているため、電源装置を商用電源などの外部電源と接続するだけでよい。そのため、筐体の電源装置を設置して盤面上の光源装置と接続した構成と比べて、光源露出型看板の施工作業又は交換作業における作業者の負担を軽減できるだけでなく、その作業時間を短縮できる。これにより、高所などに光源露出型看板が設置される場合において、電源装置と外部電源との接続による作業時間が短縮されるため、盤面を筐体に取り付けるまで盤面を吊り上げた状態とする時間をも短縮できる。よって、光電露出看板の施工及び交換にかかる作業効率を高めることができる。
【発明を実施するための最良の形態】
【００１４】
本発明の光源露出型看板の実施の形態について、以下に図面を参照して説明する。図１は、本発明の光源露出型看板の構成を示す断面図である。
【００１５】
１．光源露出型看板の構成
図１に示す光源露出型看板は、表示する文字又は図形の形状となるパネル状の盤面１と、この盤面１によって開口面が覆われる筐体２とによって構成される。即ち、光源露出型看板は、盤面１と筐体２とに覆われる閉空間を備え、この盤面１及び筐体２によって構成される閉空間内に、光源装置１１の一部や電源装置３（図５参照）を構成する複数の直流電源３０が収容される。よって、後述するように、光源露出型看板は、外観上、盤面１から露出された光源装置１１の光学レンズ４１（図２参照）のみが現れた構成となる。
【００１６】
筐体２は、底板２１と、底板２１に対して垂直な方向に立設した側壁２２とによって構成され、底板２１に対向する面が開口面とされる。そして、側壁２２には、盤面１の端辺側が接続される盤面固定用枠２３が、筐体２の開口面側において、筐体２の内側に向かって凸設される。又、底板２１には、盤面１を支持するための盤面固定用支柱２４が、筐体２の開口面に向かって延びるように設置される。このような構成の筐体２は、その開口面が、複数の光源装置１１が光源固定部材１２により固定設置された盤面１で覆われる。このとき、盤面１の裏面が、筐体２の盤面固定用枠２３及び盤面固定用支柱２４それぞれに当接する。そして、盤面１は、盤面固定用ボルト１４によって、盤面固定用枠２３及び盤面固定用支柱２４と締結されることで、筐体２の開口面上に固定設置される。
【００１７】
又、２箇所を屈曲させた「コ」字形状の断面を備える電源固定用架台３２が、その脚部が架台固定用ナット３３で盤面１に締結されることで、盤面１の裏面側に固定設置される。この電源固定用架台３２は、筐体２の底板２１に対向する面に、光源装置１１に直流電流を供給する直流電源３０が搭載される。そして、直流電源３０は、電源固定用ボルト３１で締結されることで、電源固定用架台３２に固定設置される。又、盤面１の裏面側には、光源装置１１の設置領域の間となる領域に、架台固定用ナット３３が締結される架台固定用ボルト３４が筐体２の底板２１に向かって凸設される。よって、直流電源３０が電源固定用ボルト３１によって固定された電源固定用架台３２は、その脚部を貫通させた盤面１の架台固定用ボルト３４に架台固定用ナット３３が螺合されることで、盤面１に固定設置される。
【００１８】
このように盤面１は、電源固定用架台３２を介して直流電源３０が設置されるため、光源装置１１と直流電源３０とは、盤面１において既に電気的に接続されている。よって、この盤面１を筐体２の開口面を覆うように設置するとき、まず、筐体２内部の商用電源からの配線と直流電源３０とを電気的に接続する。その後、盤面固定用ボルト１４が締結されることで、盤面１が、盤面固定用枠２３及び盤面固定用支柱２４に固定される。このとき、盤面１の裏面側に配置される光源装置１１のパッケージカバー４０（図２参照）、固定部材１２、直流電源３０、及び、電源固定用架台３２は、盤面１に覆われた筐体２の内部に設置されることとなる。
【００１９】
２．光源装置
光源装置１１は、図２に示すように、樹脂モールド成形によるパッケージカバー４０と、パッケージカバー４０によって光出射側と逆側の面が覆われる光学レンズ４１と、光学レンズ４１に向かって発光する発光ダイオード（ＬＥＤ）４５と、ＬＥＤ４５を搭載した基板４６と、を備える。この光源装置１１における光学レンズ４１は、その光出射側が円筒形状となるとともに、この光出射側の端面は、円錐形状となる出射側凹部４２が形成される。このとき、光学レンズ４１の光出射側の円筒部分の中心軸と、円錐形状となる出射側凹部４２の中心軸とは一致する。この光学レンズ４１は、出射側凹部４２が設けられ光出射側端面と逆側となる光源側端面に、ＬＥＤ４５を収容する光源側凹部４４を備える。
【００２０】
そして、光源側凹部４４は、その開口面が基板４６によって覆われることで、基板４６と光学レンズ４１とによって封止された空間が形成され、この空間内にＬＥＤ４５が配置される。光源側凹部４４内に設置されるＬＥＤ４５は、光を出射する出射端面が出射側凹部４２の頂部に向くように、基板４６上に配置される。即ち、ＬＥＤ４５から出射される光の光軸が、円錐形状となる出射側凹部４２の中心軸と一致するように、ＬＥＤ４５が基板４６上に搭載される。又、ＬＥＤ４５を搭載した基板４６によって光源側凹部４４が覆われた光学レンズ４１は、パッケージカバー４０によって、その光源側凹部４４側がＬＥＤ４５及び基板４６と共に封止される。
【００２１】
このように構成される光源装置１１は、パッケージカバー４０で覆われる部分の断面積が、パッケージカバー４０で覆われていない部分の断面積に比べて広くなる。そのため、図２に示すように、光源装置１１を盤面１の貫通穴に盤面１の裏面側から挿入したとき、パッケージカバー４０が盤面１の裏面に当接する。よって、光学レンズ４１のパッケージカバー４０で覆われていない光出射側の円筒形状部分のみを、盤面１の表面から露出させることができる。
【００２２】
そして、光源装置１１は、弾性を備えた光源固定部材１２によって、盤面１の裏面側に押圧されることで、パッケージカバー４０が盤面１と光源固定部材１２とによって挟持される。光源固定部材１２は、２箇所で屈曲させた略「コ」字形状であり、その両端部分には、屈曲位置から端部に向かう方向と逆側に反った形状を有する。このような光源固定部材１２の両端部分が挿入される固定部材挿入穴１３が、盤面１を貫通して設けられる。この固定部材挿入穴１３は、盤面１において、光源装置１１の光学レンズ４１が挿入される貫通穴の周囲に設けられる。
【００２３】
よって、光源装置１１は、盤面１の裏面側から貫通穴に挿入され、パッケージカバー４０が盤面１の裏面に当接して、光学レンズ４１が盤面１の表面より露出させた位置に設置される。そして、盤面１の裏面側から、弾性変形させた光源固定部材１２の両端部分を、光源装置１１の設置位置の周囲に設けられた固定部材挿入穴１３に挿入する。このとき、光源固定部材１２自身の弾性によって広がるため、固定部材挿入穴１３に挿入された光源固定部材１２の両端部分が、盤面１の固定部材挿入穴１３の周辺部分で係止する。これにより、光源固定部材１２が、光源装置１１のパッケージカバー４０に当接した状態で、盤面１に固定設置される。そのため、光源装置１１は、盤面１の裏面と光源固定部材１２とによってパッケージカバー４０が挟持されることによって、盤面１に固定設置される。
【００２４】
又、盤面１において、電気的に接続された所定数の光源装置１１によって、１つの光源装置群１１０（図５参照）が構成される。このとき、盤面１に固定された光源装置１１は、盤面１の裏面側において、図３又は図４に示すように、光源装置群１１０毎に配線ケーブル１５によって電気的に接続される。このとき、隣接して配置される光源装置１１間を接続する配線ケーブル１５は、図３（ａ）、図３（ｂ）、又は、図４に示すような状態で設置することで、光源装置１１を盤面１において効率的に設置できる。
【００２５】
図３（ａ）においては、配線ケーブル１５が「Ｕ」字形状となるように設置されて、隣接する光源装置１１同士を接続して、光源装置１１間を電気的に接続する。このとき、図３（ａ）に示すように、紙面上に左右に隣接する光源装置１１に対して上下となる位置に、配線ケーブル１５が設置される。即ち、光源装置１１の上側で接続される配線ケーブル１５は、左側に隣接する光源装置１１の上側で接続され、光源装置１１の下側で接続される配線ケーブル１５は、右側に隣接する光源装置１１の下側で接続される。尚、配線ケーブル１５の光源装置１１に対する上下位置については、図３（ａ）と逆となってもよい。
【００２６】
図３（ｂ）においては、「Ｓ」字形状となるように設置され配線ケーブル１５により隣接する光源装置１１同士が接続されて、光源装置１１が電気的に接続される。このとき、図３（ｂ）に示すように、光源装置１１は、光源装置１１同士の隣接方向に対して斜めに傾斜して設置され、紙面上に左右に隣接する光源装置１１の間に「Ｓ」字形状の配線ケーブル１５が設置される。即ち、配線ケーブル１５の左端が、左側の光源装置１１の右上側に接続され、配線ケーブル１５の右端が、右側の光源装置１１の左下側に接続される。尚、光源装置１１及び配線ケーブル１５それぞれの傾斜については、図３（ｂ）と逆となってもよい。
【００２７】
図４においては、隣接する光源装置１１の間で１回巻いた状態で設置された配線ケーブル１５が、隣接する光源装置１１それぞれに接続されて、光源装置１１が電気的に接続される。このとき、配線ケーブル１５で接続される２つの光源装置１１は、配線ケーブル１５との接続部分が対向するように配置される。又、この光源装置１１は、盤面１の端辺に対して平行に並ぶように設置される。そして、配線ケーブル１５は、その光源装置１１との接続部分が、巻かれることで形成されたリング状の部分よりも、盤面１の端辺に近い位置とされる。これにより、盤面１を筐体２に設置する際、配線ケーブル１５が盤面１と筐体２の接続部分で干渉することがない。即ち、配線ケーブル１５が盤面１を設置する際の障害となることを防ぐことができる。
【００２８】
このように盤面１に固定設置される光源装置１１による光の照射について、図２に模式的に示した光の経路を参照して以下に説明する。ＬＥＤ４５より出射される光は、その光軸が光学レンズ４１の中心軸と一致する。そのため、この光学レンズ４１中心軸に沿って出射するＬＥＤ４５からの光の一部である、光学レンズ４１の出射側凹部４２の頂部近傍を照射する光は、そのまま光学レンズ４１を透過して、直射光５１として外部に出射される。
【００２９】
又、ＬＥＤ４５から出射される光は、直射光５１を中心に広がりを有するため、光学レンズ４１の出射側凹部４２の頂部近傍よりも広い領域を照射する。この直射光５１よりも広がった領域を照射するＬＥＤ４５の光は、その大部分が、光学レンズ４１の出射側凹部４２における境界面４３で反射する。この光学レンズ４１の境界面４３で反射した反射光５２は、光学レンズ４１を透過して、盤面１の表面に向かって照射される。そして、光学レンズ４１を透過して出射した反射光５２は、盤面１の表面に到達すると、盤面１の表面で反射して、直射光５１の出射方向に向かって照射される。
【００３０】
このとき、盤面１は、艶消し塗装やエンボス処理やブラスト処理などが施されて、凹凸を有した層が表面に形成されることで、反射光５２が反射する方向が無作為となる。これにより、光学レンズ４１を透過して出射した反射光５２は、盤面１の表面で無作為に反射することで、直射光５１の出射方向に向かって拡散光５３が照射される。これにより、盤面１からは、光源装置１１からの直接照射される直射光５１と、この直射光５１の周辺領域を反射して照射される拡散光５３とが照射される。よって、光源装置１１から光を出射している盤面１からの発光量を、盤面１全面でほぼ均一化でき、盤面１全面の明るさを均一化できる。
【００３１】
３．電源装置と光源装置の電気的な関係
図１のように盤面１に設置される直流電源３０と光源装置１１の電気的な関係について、図５の回路図を参照して説明する。図５に示すように、光源装置群１１０を構成する所定数の光源装置１１におけるＬＥＤ４５は、直列に接続される。そして、このＬＥＤ４５が直列に接続された直列回路による光源装置群１１０に対して、直流電源３０より直流電流が供給される。即ち、光源装置群１１０毎に、ＬＥＤ４５が直列に接続されるとともに直流電源３０が接続された直列回路が形成される。又、複数の直流電源３０によって電源装置３が構成され、この電源装置３に対して商用電源４より交流電流が供給される。即ち、商用電源４に対して、電源装置３内の直流電源３０が並列に接続される。この商用電源４に入力側が接続された直流電源３０は、商用電源４からの交流電流を、一定値となる直流電流に変換して、所定数のＬＥＤ４５の直列回路となる光源装置群１１０に出力する。
【００３２】
光源装置１１及び直流電源３０の接続関係が上述のような関係とされるとき、商用電源４に対して並列に接続された直流電源３０の出力側が、直列に接続された光源装置１１のＬＥＤ４５のうちの最端部に位置するＬＥＤ４５のアノードに直接接続される。即ち、盤面１には、盤面１に構成される光源装置群１１０の群数と同数の直流電源３０によって、電源装置３が構成される。そして、電源装置３を構成する直流電源３０の入力側が並列に接続された盤面側端子６３が、盤面１に設けられる。一方、筐体２には、商用電源４と接続される筐体側端子６４が設けられる。
【００３３】
よって、盤面１が、上述の直流電源３０を備えることにより、光源装置群１１０の群数より少ない盤面側端子６３が、盤面１に設けられるとともに、この盤面側端子６３の個数と同数の筐体側端子６４が、筐体２に設けられる。これにより、盤面１を筐体２に設置する際、図７に示す従来の構成と比べて、盤面側端子６３と筐体側端子６４との接続回数が少なくなるため、盤面１の取り付け作業や交換作業にかかる負担を低減できる。
【００３４】
又、本実施形態では、盤面１を１枚のパネルで構成されるものとして説明したが、図６に示すように、盤面１が、複数枚のセグメントパネル１０ａ〜１０ｈに分割されるものとしてもよい。即ち、筐体２の開口面を覆うようにセグメントパネル１０ａ〜１０ｈを敷設することによって、１枚の盤面１が筐体２の開口面上に構成される。このように構成される光源露出型看板において、セグメントパネル１０ａ〜１０ｈ上に配列された複数の光源装置１１が発光することにより、光源露出型看板自体が、盤面１の象った文字や図形形状に発光したように見える。図６の例では、セグメントパネル１０ａ〜１０ｈによって形成される盤面１が文字「Ｃ」の形状となっているため、光源装置１１を発光させたとき、光源露出型看板が、文字「Ｃ」の形状に発光したように見える。
【００３５】
このように、盤面１がセグメントパネル１０ａ〜１０ｈに分割される場合、セグメントパネル１０ａ〜１０ｈそれぞれに構成される光源装置１１挿入用の貫通穴の設置数は、光源装置群１１０（図５参照）を構成する光源装置１１の個数の整数倍とすることが好ましい。そして、セグメントパネル１０ａ〜１０ｈそれぞれが、光源装置群１１０と同数の直流電源３０（図１及び図５参照）を備えるものとしてもよい。このとき、１つの盤面側端子６３が、セグメントパネル１０ａ〜１０ｈそれぞれに設けられるとともに、盤面１を構成するセグメントパネル１０ａ〜１０ｈの枚数（図６の場合、８枚）と同数の筐体側端子６４が、筐体２に設けられる。
【００３６】
又、盤面１を構成するセグメントパネル１０ａ〜１０ｈの一部について、光源装置１１のみが構成され、この光源装置１１それぞれに直流電流を供給する直流電源３０が、別のセグメントパネルに搭載されるものとしてもよい。このとき、光源装置１１のみを搭載したセグメントパネルは、光源装置群１１０毎に、その直列回路の端部に位置するＬＥＤ４５のアノードに接続された光源側端子を有した構成となる。そして、他のセグメントパネルの光源装置１１に直流電流を供給する直流電源３０を備えたセグメントパネルは、盤面側端子６３に加えて、他のセグメントパネルの光源装置１１に直流電流を供給する直流電源３０に接続された電源側端子が設けられる。よって、この電源側端子が光源側端子に接続されることで、光源装置１１のみを搭載したセグメントパネルにおいても、その光源装置１１への直流電流の供給が可能となる。
【産業上の利用可能性】
【００３７】
本発明は、ＬＥＤやネオン管や蛍光管などの光源を盤面上に露出させた光源露出型看板に適用できる。
【図面の簡単な説明】
【００３８】
【図１】は、本発明の光源露出型看板の内部の構成を示す断面図である。
【図２】は、光源装置の内部構成を示す概略断面図である。
【図３】は、図１の光源露出型看板に設けられた光源装置の配置と接続関係の一例を示すもので、（ａ）、（ｂ）それぞれは、盤面の裏面側からの外観図である。
【図４】は、図１の光源露出型看板に設けられた光源装置の配置と接続関係の一例を示す、盤面の裏面側からの外観図である。
【図５】は、図１の光源露出型看板における、電源装置と光源装置との接続関係を示す回路図である。
【図６】は、セグメントパネルで分割された盤面を有する光源露出型看板の構成を示す概略正面図である。
【図７】は、従来の光源露出型看板における、電源装置と光源装置との接続関係を示す回路図である。
【符号の説明】
【００３９】
１                  盤面
２                  筐体
３                  電源装置
４                  商用電源
１０ａ〜１０ｈ      セグメントパネル
１１                光源装置
１２                光源固定部材
１３                固定部材挿入穴
１４                盤面固定用ボルト
１５                配線ケーブル
２１                底板
２２                側壁
２３                盤面固定用枠
２４                盤面固定用支柱
３０                直流電源
３１                電源固定用ボルト
３２                電源固定用架台
３３                架台固定用ナット
３４                架台固定用ボルト
４０                パッケージカバー
４１                光学レンズ
４２                出射側凹部
４３                境界面
４４                光源側凹部
４５                発光ダイオード（ＬＥＤ）
４６                基板
５１                直射光
５２                反射光
５３                拡散光
６３                盤面側端子
６４                筐体側端子
１１０              光源装置群
【図１】
2010113046.tif 000003
【図２】
2010113046.tif 000004
【図３】
2010113046.tif 000005
【図４】
2010113046.tif 000006
【図５】
2010113046.tif 000007
【図６】
2010113046.tif 000008
【図７】
2010113046.tif 000009